(57)【特許請求の範囲】
【請求項１】
一面開口の箱体内に複数の分岐開閉器を横並びに並設し、箱体の開口を塞ぐ蓋体に形成された窓孔から並設される分岐開閉器毎に各分岐開閉器のハンドルを箱体外部に突出させ、蓋体の窓孔の近傍に取着されて、並設された分岐開閉器の分岐回路を一斉に表示する一枚のカードや分岐開閉器の分岐回路を各分岐開閉器毎に表示する名称表示板を装着するカードホルダーであって、
前記蓋体に当接した状態で取着されるカードホルダー本体と、このカードホルダー本体から手前側に突出してカードホルダー本体との間に前記カードを配設した状態でカードを手前側から塞ぐ透明カバーの両側が差し込まれるとともに前記各名称表示板を両側から係止する突出部と、を備えて成るカードホルダー。
【請求項２】
前記カードホルダー本体は、個々の名称表示板を配設するスペース毎に切欠が形成されて成る請求項１記載のカードホルダー。
【請求項３】
前記カードホルダー本体の両側に、並設される２組の分岐開閉器のハンドルを各組毎に突出させる２つの窓孔間で掛止される引掛片を設けて成る請求項１又は請求項２記載のカードホルダー。
【請求項４】
前記突出部に、前記透明カバーをカードホルダー本体との間で挟持する突起と、各名称表示板の両側を係止する弾性係止片とを設けて成る請求項１乃至請求項３のいずれかに記載のカードホルダー。
【請求項５】
前記突出部に弾性片が設けられ、該弾性片に前記透明カバーをカードホルダー本体との間で挟持するとともに各名称表示板の両側を係止する突起を設けて成る請求項１乃至請求項３のいずれかに記載のカードホルダー。
【発明の詳細な説明】
【０００１】
【発明の属する技術分野】
本発明は、分岐開閉器のハンドルを突出させる蓋体に取着されて各分岐開閉器の分岐回路を一斉に表示するカードや各分岐開閉器毎に分岐回路を表示する名称表示板を取着し得るカードホルダーに関する。
【０００２】
【従来の技術】
一般に、主幹開閉器や分岐開閉器等を収納する分電盤にあっては、図８に示すように、一面に開口を有して主幹開閉器  １や分岐開閉器  ２，３等を収納した箱体  ４と、各開閉器  １，２，３のハンドルを突出させる窓孔  ５，６，７を有して箱体  ４の開口を塞ぐ中蓋  ８（蓋体）と、この中蓋  ８の外面で箱体  ４に開閉自在に取着される外蓋  ９（扉）とで構成されている。そして、このような分電盤にあっては、各分岐開閉器  ２，３の分岐回路を表示するために、中蓋  ８（蓋体）における各分岐開閉器  ２，３のハンドルを突出させる２つの窓孔  ６，７間に略凹状のカードホルダー  Ａを貼着し、このカードホルダー  Ａに各分岐開閉器  ２，３毎に線引きにより区分けして各分岐開閉器  ２，３の負荷回路を記載した一枚のカード１０とこのカード１０を手前側から塞ぐ透明カバー１３とを差し込んで行っている。
【０００３】
一方、各分岐開閉器の分岐回路を個別に表示してほしいというユーザーからの要望があった場合や分岐開閉器の一部に多極型のものを使用する場合等には、上述したカードホルダーを使用せず、個々の負荷回路を表示するカードを一枚ずつ複数の名称表示板に取着し、これらの名称表示板を各分岐開閉器に合わせて中蓋に個々に貼着して行っている。
【０００４】
【発明が解決しようとする課題】
上述した分岐開閉器の分岐回路を略凹状のカードホルダーに差し込まれる一枚のカードによって表示する方法にあっては、ユーザーから個々の分岐開閉器毎に分岐回路を表示してほしいという要望があったときに、カードホルダーを外さなければならず、手間がかかるという問題があった。
【０００５】
また、各分岐開閉器毎に分岐回路を表示する名称表示板を貼着する方法にあっては、各分岐開閉器の負荷回路を間違えた場合の貼り替え作業が煩わしいという問題があった。
【０００６】
本発明は、かかる事由に鑑みて成されたものであり、その目的とするところは、各分岐開閉器による分岐回路を表示するために、一枚のカードも複数の名称表示板も装着でき、かつ各分岐開閉器の分岐回路を表示する名称表示板の取替作業が容易となるカードホルダーを提供することにある。
【０００７】
【課題を解決するための手段】
かかる課題を解決するために、請求項１記載のカードホルダーは、一面開口の箱体内に複数の分岐開閉器を横並びに並設し、箱体の開口を塞ぐ蓋体に形成された窓孔から並設される分岐開閉器毎に各分岐開閉器のハンドルを箱体外部に突出させ、蓋体の窓孔の近傍に取着されて、並設された分岐開閉器の分岐回路を一斉に表示する一枚のカードや分岐開閉器の分岐回路を各分岐開閉器毎に表示する名称表示板を装着するカードホルダーであって、前記蓋体に当接した状態で取着されるカードホルダー本体と、このカードホルダー本体から手前側に突出してカードホルダー本体との間に前記カードを配設した状態でカードを手前側から塞ぐ透明カバーの両側が差し込まれるとともに前記各名称表示板を両側から係止する突出部と、を備えて成る構成としてある。
【０００８】
請求項２記載のカードホルダーは、請求項１のもののカードホルダー本体は、個々の名称表示板を配設するスペース毎に切欠が形成されて成る構成としてある。
【０００９】
請求項３記載のカードホルダーは、請求項１又は請求項２のもののカードホルダー本体の両側に、並設される２組の分岐開閉器のハンドルを各組毎に突出させる２つの窓孔間で掛止される引掛片を設けて成る構成としてある。
【００１０】
請求項４記載のカードホルダーは、請求項１乃至請求項３のいずれかに記載のものの突出部に、前記透明カバーをカードホルダー本体との間で挟持する突起と、各名称表示板の両側を係止する弾性係止片とを設けて成る構成としてある。
【００１１】
請求項５記載のカードホルダーは、請求項１乃至請求項３のいずれかに記載のものの突出部に弾性片が設けられ、該弾性片に前記透明カバーをカードホルダー本体との間で挟持するとともに各名称表示板の両側を係止する突起を設けて成る構成としてある。
【００１３】
【発明の実施の形態】
本発明の第１の実施の形態を図１乃至図４に基づいて説明する。なお、従来例と基本的な機能が同様な部材には同じ符号を付してある。
【００１４】
このカードホルダー  Ａを取着した分電盤は、図１に示すように、一面に開口を有して主幹開閉器  １や複数の分岐開閉器  ２，３を配設した箱体  ４と、この箱体  ４内で開閉自在に支持され、主幹開閉器  １や分岐開閉器  ２，３等のハンドルを突出させる窓孔  ５，６，７を有した中蓋  ８（蓋体）と、この中蓋  ８よりも外側で箱体  ４に開閉自在に支持された外蓋  ９と、を備えたものである。
【００１５】
本発明のカードホルダー  Ａは、中蓋  ８の２つの窓孔  ６，７間に取着され、図２に示すように並設された２組の分岐開閉器２，２，…、３，３，…の分岐回路を一斉に表示する２枚のカード  １０，１１や、図４に示すように２組の分岐開閉器２，２，…、３，３，…の分岐回路を各分岐開閉器２，３  毎に表示する名称表示板１２を装着する。
【００１６】
カード  １０，１１は、予め白紙に各分岐開閉器  ２，３毎に線引きにより区分けしてあるものに、各分岐開閉器  ２，３の分岐回路名を記載したものである。名称表示板１２は、合成樹脂により形成された枠部材により構成され、側面から各分岐開閉器  ２，３の分岐回路名を記載したカードを裏側側面から差し込み、この紙の手前側を透明カバーで塞いだものであり、両側に後述するカードホルダー  Ａの弾性係止片  ２５，２５に係止される凸所  １２ａ，１２ａが形成されている。
【００１７】
カードホルダー  Ａは、弾性を有する合成樹脂により一体形成され、図２に示すように、中蓋  ８に当接した状態で取着されるカードホルダー本体  ２０，２０と、これらのカードホルダー本体  ２０，２０から手前（図１に於ける紙面手前）側に突出してカードホルダー本体  ２０，２０との間にカード  １０，１１を配設した状態でカード  １０，１１を手前側から塞ぐ透明カバー  １３，１４の両側が差し込まれるとともに、図４に示すように、名称表示板１２を両側から係止する突出部  ２１，２１と、を備えている。
【００１８】
カードホルダー本体  ２０，２０は、図２及び図３に示すように、個々の名称表示板１２を配設するスペース毎に一部  ２０ａ，２０ａが切欠形成されており、カードホルダー本体  ２０，２０の弾性が取り易く、もってカード  １０，１１及び透明カバー  １３，１４や名称表示板１２が取着し易くなっている。また、このカードホルダー本体  ２０，２０は、図３に示すように、各名称表示板１２を配設するスペース毎に縦の溝１９や横の溝  ２２，２２を形成しており、分岐開閉器  ２，３に多極型のものを含んでいるときや各分岐開閉器２，２，…（３，３，…）間の間隔が広い場合等に、この横の溝  ２２，２２に沿って必要な位置で切り取ることにより、各名称表示板１２を各分岐開閉器  ２，３の位置に合わせて取着できるようになっている。つまり、各分岐開閉器  ２，３の数に応じて横の溝  ２２，２２に沿って切り取ることができるのである。さらに、このカードホルダー本体  ２０，２０の裏面には、図３に示すように、各窓孔  ６，７の端面  ６ａ，７ａに掛止される引掛片  ２３，２３が形成されており、中蓋  ８の表面側から引掛片  ２３，２３を各窓孔  ６，７の端面  ６ａ，７ａに掛止することによりカードホルダー  Ａ自体を中蓋  ８に取着でき、中蓋  ８にカードホルダー  Ａ自体を取着する作業が容易にできるようになっている。
【００１９】
突出部  ２１，２１は、図２及び図４に示すように、各名称表示板１２毎に区分けするとともにカード  １０，１１及び透明カバー  １３，１４をカードホルダー本体  ２０，２０との間で挟持する突起  ２４，２４と、各名称表示板１２の両側を係止する弾性係止片  ２５，２５とを備えており、カード  １０，１１及び透明カバー  １３，１４はカードホルダー本体  ２０，２０と突起  ２４，２４との間で挟持でき、各名称表示板１２は弾性係止片  ２５，２５に係止されることとなるので、突起  ２４，２４と弾性係止片  ２５，２５の一方が壊れても他方が壊れない限り、カード  １０，１１又は名称表示板１２のどちらかを取着できるようになっている。弾性係止片  ２５，２５は、名称表示板１２の側面側では突出部  ２１，２１からカードホルダー本体  ２０，２０まで延出する切り込み  ２６，２６により形成されるとともに、手前側では突出部  ２１，２１に形成された切溝  ２７，２７により端面  ２５ａ，２５ａが弾性自在に形成されており、各名称表示板１２の両側に形成された凸所  １２ａ，１２ａが係止される。
【００２０】
次に、本第１の実施の形態におけるカードホルダー  Ａの中蓋  ８（蓋体）に対する取着方法と、カードホルダー  Ａに対するカード  １０，１１又は名称表示板１２の取着方法とを図２乃至図４に基づいて説明する。
【００２１】
先ず、中蓋  ８にカードホルダー  Ａ自体を取着するには、前述したように、カードホルダー本体  ２０，２０の裏面に形成された引掛片  ２３，２３を中蓋  ８の前面側から中蓋  ８に形成された２つの窓孔  ６，７の端面  ６ａ，７ａに引掛けることにより行う。次に、中蓋  ８に取着されたカードホルダー  Ａにカード  １０，１１を取着するには、図１におけるカードホルダー  Ａの一番上側の端面から各カード  １０，１１と名称表示板  １３，１４とをカードホルダー本体  ２０，２０と突起  ２４，２４との間に挿通することにより行える。このとき、カード  １０，１１及び透明カバー  １３，１４が図１におけるカードホルダー  Ａの一番下側の端面から落下しないようにするために、カードホルダー本体  ２０，２０及び突起  ２４，２４間の間隔を狭くしてカード  １０，１１と透明カバー  １３，１４とを挟持できるようにしている。
【００２２】
また、中蓋  ８に取着されたカードホルダー  Ａに各名称表示板１２を取着するには、各名称表示板１２の両側に形成された凸所  １２ａ，１２ａを弾性係止片  ２５，２５の切り込み  ２６，２６に係止すれば良い。
【００２３】
次に、本発明の第２の実施の形態を図５乃至図７に基づいて説明する。なお、第１の実施の形態と異なる点はカードホルダー  Ａと名称表示板１２とであるので、以下これを中心に説明する。
【００２４】
すなわち、カードホルダー  Ａは、第１の実施の形態同様、弾性を有する合成樹脂により一体形成され、図５及び図６に示すように、カードホルダー本体  ２０，２０と突出部  ２１，２１とを備えている。
【００２５】
カードホルダー本体  ２０，２０は、図５及び図６に示すように、個々の名称表示板１２を配設するスペース毎の両側である一部  ２０ａ，２０ａ、２０ｂ，２０ｂ  が切欠形成されており、カードホルダー本体  ２０，２０の弾性が取り易く、もってカード  １０，１１及び透明カバー  １３，１４や名称表示板１２が取着し易くなっている。また、このカードホルダー本体  ２０，２０は、図６に示すように、各名称表示板１２を配設するスペース毎に縦の溝１９及び横の溝  ２２，２２を形成しており、分岐開閉器  ２，３に多極型のものを含んでいるときや各分岐開閉器２，２，…、（３，３，…）〔図１参照〕間の間隔が広い場合等に、この横の溝  ２２，２２に沿って必要な位置で切り取ることにより、各名称表示板１２を各分岐開閉器  ２，３の位置に合わせて取着できるようになっている。つまり、各分岐開閉器  ２，３の数に応じて横の溝  ２２，２２に沿って切り取ることができるのである。さらに、このカードホルダー本体  ２０，２０の裏面には、図６に示すように、各窓孔  ６，７（図１参照）の端面  ６ａ，７ａ（図１参照）に掛止される引掛片  ２３，２３が形成されており、中蓋  ８（図１参照）の表面側から引掛片  ２３，２３を各窓孔  ６，７の端面  ６ａ，７ａに掛止することによりカードホルダー  Ａ自体を中蓋  ８に取着でき、中蓋  ８にカードホルダー  Ａ自体を取着する作業が容易にできるようになっている。
【００２６】
突出部  ２１，２１には、図５及び図７に示すように、各名称表示板１２を装着するスペース毎の両側から切溝  ２７，２７を介して弾性片  ２５，２５が弾性自在に形成されており、透明カバー  １３，１４をカードホルダー本体  ２０，２０との間で挟持するとともに各名称表示板１２の両側を係止する突起  ２４，２４を有している。この弾性片  ２５，２５により、カード  １０，１１及び透明カバー  １３，１４はカードホルダー本体  ２０，２０と突起  ２４，２４との間に挟持できる。ここで、名称表示板１２は、図７に示すように、両側側面に凹所  １２ｂ，１２ｂが形成されており、上述した弾性片  ２５，２５の先端に形成された突起  ２４，２４がこの凹所  １２ｂ，１２ｂに嵌まることとなって名称表示板１２が係止されることとなる。また、本第２の実施の形態によれば、弾性片  ２５，２５の先端に突起  ２４，２４を一体に形成しているので、製造作業が容易となるのである。
【００２７】
次に、本第２の実施の形態におけるカードホルダー  Ａの中蓋に対する取着方法と、カードホルダー  Ａに対するカード  １０，１１又は名称表示板１２の取着方法とを図５乃至図７に基づいて説明する。
【００２８】
先ず、中蓋にカードホルダー  Ａ自体を取着するには、第１の実施の形態同様、カードホルダー本体  ２０，２０の裏面に形成された引掛片  ２３，２３を中蓋  ８の前面側から中蓋  ８に形成された２つの窓孔の端面に引掛けることにより行う。次に、中蓋に取着されたカードホルダー  Ａにカード  １０，１１を取着するには、図５におけるカードホルダー  Ａの一番上側の端面から各カード  １０，１１と名称表示板  １３，１４とをカードホルダー本体  ２０，２０と突起  ２４，２４との間に挿通することにより行える。このとき、カード  １０，１１及び透明カバー  １３，１４がカードホルダー  Ａの一番下側の端面から落下しないようにするために、カードホルダー本体  ２０，２０及び突起  ２４，２４間の間隔を狭くしてカード  １０，１１と透明カバー  １３，１４とを挟持できるようにしている。
【００２９】
また、中蓋に取着されたカードホルダー  Ａに各名称表示板１２を取着するには、各名称表示板１２の両側に形成された凹所  １２ｂ，１２ｂを弾性片  ２５，２５の突起  ２４，２４に嵌め込めば良い。
【００３０】
なお、本第１及び第２の実施の形態によれば、２つの窓孔から６個づつの分岐開閉器のハンドルを突出させているが、分岐開閉器の数が各窓孔で異なる数であっても良い。また、本第１及び第２の実施の形態によれば、横並びに並設される分岐開閉器が２組あるが、１組でも良く、この場合、分岐開閉器のハンドル突出用の窓孔が１つで良いこととなるので、第１及び第２の実施の形態のものの分電盤における左右方向２組のカードホルダー  Ａを縦の溝１９に沿って切り取り、１組とするとともに引掛片２３を切り取って、カードホルダー  Ａ自体を中蓋  ４に貼着すれば良い。（初めから、引掛片がないような１つの窓孔用のカードホルダー自体を形成しても良い。）
【００３１】
【発明の効果】
請求項１記載のカードホルダーは、蓋体に当接した状態で取着されるカードホルダー本体と、このカードホルダー本体から手前側に突出してカードホルダー本体との間に前記カードを配設した状態でカードを手前側から塞ぐ透明カバーの両側が差し込まれるとともに前記各名称表示板を両側から係止する突出部と、を備えているので、各分岐開閉器による分岐回路を表示するために、一枚のカードと複数の名称表示板との一方を選択して装着できる。また、各分岐開閉器の分岐回路を表示する名称表示板の両側を突出部で係止するので、名称表示板の取替作業が容易となる。
【００３２】
請求項２記載のカードホルダーは、請求項１のもののカードホルダー本体は、個々の名称表示板を配設するスペース毎に切欠が形成されているので、カードホルダー本体の弾性が取れ、請求項１記載の効果に加え、カード及び透明カバーや名称表示板が取着し易くなるという効果を奏する。
【００３３】
請求項３記載のカードホルダーは、請求項１又は請求項２のもののカードホルダー本体の両側に、並設される２組の分岐開閉器のハンドルを各組毎に突出させる２つの窓孔間で掛止される引掛片を設けているので、各引掛片を各窓孔に引掛けると蓋体に取着でき、請求項１又は請求項２記載の効果に加え、蓋体に取着する作業が容易にできるという効果を奏する。
【００３４】
請求項４記載のカードホルダーは、請求項１乃至請求項３のいずれかに記載のものの突出部に、前記透明カバーをカードホルダー本体との間で挟持する突起と、各名称表示板の両側を係止する弾性係止片とを設けているので、カードはカードホルダー本体と突起との間で挟持でき、各名称表示板は弾性係止片に係止されることとなり、請求項１乃至請求項３のいずれかに記載の効果に加え、突起と弾性係止片の一方が壊れても他方が壊れない限り、カード又は名称表示板のどちらかを取着できるという効果を奏する。
【００３５】
請求項５記載のカードホルダーは、請求項１乃至請求項３のいずれかに記載のものの突出部に弾性片が設けられ、該弾性片に前記透明カバーをカードホルダー本体との間で挟持するとともに各名称表示板の両側を係止する突起を設けているので、弾性片に突起を一体形成することとなり、請求項１乃至請求項３のいずれかに記載の効果に加え、製造作業が容易となるという効果を奏する。
【図面の簡単な説明】
【図１】本発明の第１の実施の形態であるカードホルダーを分電盤に取着した状態を示す正面図である。
【図２】図１のもののカードホルダーにカードを装着する方法を示す説明図である。
【図３】図１のもののカードホルダーを中蓋（蓋体）に取着する方法を示す説明図である。
【図４】図１のもののカードホルダーに名称表示板を装着する方法を示す説明図である。
【図５】本発明の第２の実施の形態を示すカード及び透明カバーとカードホルダーとの分解斜視図である。
【図６】図５のもののカードホルダーの裏面斜視図である。
【図７】図５のものの裏面図である。
【図８】従来のカードホルダーを取着した分電盤の正面図である。
【符号の説明】
２，３      分岐開閉器
４    箱体
６，７    窓孔
８    中蓋（蓋体）
１０，１１      カード
１２      名称表示板
１３，１４    透明カバー
２０    カードホルダー本体
２１    突出部
【図１】
0003633164.tif 000002
【図２】
0003633164.tif 000003
【図３】
0003633164.tif 000004
【図４】
0003633164.tif 000005
【図５】
0003633164.tif 000006
【図６】
0003633164.tif 000007
【図７】
0003633164.tif 000008
【図８】
0003633164.tif 000009